(57)【要約】【課題】小形に形成でき操作感がよく、しかも、照光範囲を広くすることができて単一の材料で成形できる照光式操作つまみを提供する。【解決手段】半透明樹脂で成形されフランジ１ａの上面に操作パネル上面に突出する操作部１ｆを有し、フランジ１ａの下面から下方に延びるスイッチ作動ボス１ｃを有し、前記操作部１ｆの天面が照光される照光式操作つまみにおいて、前記スイッチ作動ボス１ｃが筒状に形成されると共に筒状周縁にスリットｄが形成されており、前記スイッチ作動ボス１ｃの中空部およびスリットの空間が前記操作部の内部を天面近傍まで連なるように形成され、前記スイッチ作動ボス１ｃの側方下部に配置された光源から放射される光が前記空間の内部に導かれ前記操作部１ｆの天面を内部から照光する。【選択図】図１
2009076342.tif 000002
【特許請求の範囲】
【請求項１】
半透明樹脂で成形されフランジの上面に操作パネル上面に突出する操作部を有し、フランジの下面から下方に延びるスイッチ作動ボスを有し、前記操作部の天面が照光される照光式操作つまみにおいて、前記スイッチ作動ボスが筒状に形成されると共に筒状周縁にスリットが少なくとも１か所に形成されており、前記スイッチ作動ボスの中空部およびスリットの空間が前記操作部の内部を天面近傍まで連なるように形成され、前記スイッチ作動ボスの側方下部に配置された光源から放射される光が前記空間の内部に導かれ前記操作部の天面を内部から照光する照光式操作つまみ。
【請求項２】
前記筒状の形状が円筒形状である請求項１の照光式操作つまみ。
【発明の詳細な説明】
【技術分野】
【０００１】
この発明は操作部の天面が照光される照光式操作つまみに関する。
【背景技術】
【０００２】
従来からスイッチを作動させる乳白色の樹脂製つまみの背後から光を照射してつまみの操作部を照光する照光式操作つまみが用いられている。このように照光式操作つまみでは、操作パネル外部に操作部が突出し、操作パネル内部にスイッチを作動させるスイッチ作動ボスが延びている。操作部を内部から照射する光源は操作パネル内部に配置されるが、操作部の照光範囲にスイッチ作動ボスの影が映るのを防止するためにスイッチ作動ボスは光源から照光範囲への光通路を避けた位置に配置しなければならない。
【０００３】
そのように従来の照光式操作つまみの例を図６に示す。図６（ａ）は従来の照光式操作つまみの例を示す平面図、図６（ｂ）は同照光式操作つまみを示す正面図、図６（ｃ）は図６（ａ）におけるＡ−Ａ断面図である。
【０００４】
図に示す照光式操作つまみ３は乳白色の樹脂で一体成形されており、フランジ３ａの上面に図示していない操作パネルの穴から突出する操作部３ｆが設けられており、フランジ３ａの下面にスイッチ作動ボス３ｃが設けられている。
【０００５】
フランジ３ａは図示していない操作パネルの内面に圧接されるようにクッションやばねにより付勢され、フランジ３ａの縁に設けられた連結部３ｂ（部分が示されている。以下同じ）により隣のつまみと連結されている。操作部３ｆを押すことにより照光式操作つまみ３が下動して、スイッチ作動ボス３ｃが図示していないプリント基板に実装されたスイッチを作動させる。
【０００６】
光源となるＬＥＤ６は図示していないプリント基板に実装されており、操作部３ｆにはＬＥＤ６から光を操作部３ｆの天面に導く空間３ｅが形成され、空間３ｅの開口部周囲には光を空間３ｅに広い範囲で導くように傾斜面３ｈが形成されている。ＬＥＤ６から放射された光は直接または空間３ｅの内面で反射されながら操作部３ｆの天面の下面に至り、操作部３ｆの天面の上面を図６（ａ）の斜線で示す照射範囲３ｇを照光する。
【０００７】
この照光式操作つまみ３は広い範囲で操作部３ｆの天面を照光することができるが、スイッチ作動ボス３ｃが偏って配置されているために、スイッチを作動する負荷が掛かると照光式操作つまみ３が傾く等して操作感が損なわれるという問題があった。
【０００８】
従来の照光式操作つまみの他の例を図７に示す。図７（ａ）は従来の照光式操作つまみの他の例を示す平面図、図７（ｂ）は同照光式操作つまみを示す正面図、図７（ｃ）は図７（ａ）におけるＡ−Ａ断面図である。
【０００９】
この照光式操作つまみ４では隣のつまみと連結する連結部４ｂを有するフランジ４ａの上面に図示していない操作パネルの穴から突出する操作部４ｆが設けられており、操作部４ｆの天面の下面から操作パネル内部まで延びるスイッチ作動ボス４ｃが操作部４ｆの中央に形成されている。
【００１０】
光源となるＬＥＤ６、６は図示していないプリント基板に実装されており、スイッチ作動ボス４ｃの両側にはＬＥＤ６、６から光を操作部４ｆの天面に導く空間４ｅ、４ｅが形成され、空間４ｅの開口部周囲には光を空間４ｅに広い範囲で導くように傾斜面４ｈが形成されている。ＬＥＤ６から放射された光は空間４ｅの内面で反射されながら操作部４ｆの天面の下面に至り、操作部４ｆの天面の上面を図７（ａ）または図７（ｃ）に示す照光範囲４ｇを照光する。
【００１１】
この照光式操作つまみ４はスイッチ作動ボス４ｃが操作部４ｆの中央にあるので操作感は良いが照光範囲４ｇが狭くつまみを十分に照光できないという問題があった。
【００１２】
従来の照光式操作つまみのさらに他の例を図８に示す。図８（ａ）は従来の照光式操作つまみの他の例を示す平面図、図８（ｂ）は同照光式操作つまみを示す正面図、図８（ｃ）は図８（ａ）におけるＡ−Ａ断面図である。
【００１３】
この照光式操作つまみ５では隣のつまみと連結する連結部５ｂを有するフランジ５ａの上面に図示していない操作パネルの穴から突出する操作部５ｆが設けられており、フランジ５ａの下面にはスイッチ作動ボス５ｃ、５ｃが操作部５ｆに対して対象位置に形成されている。
【００１４】
光源となるＬＥＤ６は図示していないプリント基板に実装されており、操作部５ｆにはＬＥＤ６から光を操作部５ｆの天面に導く空間５ｅが形成され、空間５ｅの開口部周囲には光を空間５ｅに広い範囲で導くように傾斜面５ｈが形成されている。ＬＥＤ６から放射された光は直接または空間５ｅの内面で反射されながら操作部５ｆの天面の下面に至り、操作部５ｆの天面の上面を図８（ａ）の斜線で示す照射範囲５ｇを照光する。
【００１５】
この照光式操作つまみ５は広い範囲で操作部５ｆの天面を照光することができて、操作感も良いが、スイッチ作動ボス５ｃ、５ｃが操作部５ｆの両側に設けられるので操作つまみが大きくなるという問題があった。
【００１６】
特開平１１−５３０４６号公報に提案された操作ツマミはツマミ本体１１の内部に導光性の導光部１３が設けられている。この操作ツマミはツマミ本体１１の内部に導光性の導光部１３を設けるので２色成形しなければならず、製造コストが高くなるという問題があった。
【特許文献１】特開平１１−５３０４６号公報、図１
【発明の開示】
【発明が解決しようとする課題】
【００１７】
この発明は上記した点に鑑みてなされたものであって、その目的とするところは、小形に形成でき操作感がよく、しかも、照光範囲を広くすることができて単一の材料で成形できる照光式操作つまみを提供することにある。
【課題を解決するための手段】
【００１８】
この発明の照光式操作つまみは、半透明樹脂で成形されフランジの上面に操作パネル上面に突出する操作部を有し、フランジの下面から下方に延びるスイッチ作動ボスを有し、前記操作部の天面が照光される照光式操作つまみにおいて、前記スイッチ作動ボスが筒状に形成されると共に筒状周縁にスリットが少なくとも１か所に形成されており、前記スイッチ作動ボスの中空部およびスリットの空間が前記操作部の内部を天面近傍まで連なるように形成され、前記スイッチ作動ボスの側方下部に配置された光源から放射される光が前記空間の内部に導かれ前記操作部の天面を内部から照光するものである。
【００１９】
また、前記照光式操作つまみにおいて、前記筒状の形状を円筒形とするものである。
【発明の効果】
【００２０】
この発明の照光式操作つまみによれば、小形に形成でき操作感がよく、しかも、照光範囲を広くすることができる。
【発明を実施するための最良の形態】
【００２１】
以下この発明を実施するための最良の形態を実施例に即して説明する。
【実施例１】
【００２２】
図１はこの発明の実施例１である照光式操作つまみを示す斜視図、図２は同照光式操作つまみを他の方向から見た斜視図、図３は同照光式操作つまみをさらに他の方向から見た斜視図である。図４（ａ）は同照光式操作つまみを示す平面図、図４（ｂ）は同照光式操作つまみを示す正面図、図４（ｃ）は同照光式操作つまみを示す底面図、図４（ｄ）は図４（ａ）におけるＡ−Ａ断面図である。
【００２３】
図に示す照光式操作つまみ１は乳白色の樹脂で一体成形されており、フランジ１ａの上面に図示していない操作パネルの穴から突出する操作部１ｆが設けられており、フランジ１ａの下面にスリット１ｄ、１ｄが形成された円筒形状部１ｃが形成されている。この円筒形状部１ｃはスイッチ作動ボスとなる。
【００２４】
フランジ１ａは図示していない操作パネルの内面に圧接されるようにクッションやばねにより付勢され、フランジ１ａの縁に設けられた連結部１ｂにより隣のつまみと連結されている。操作部１ｆを押すことにより照光式操作つまみ１が下動して、スイッチ作動ボスである円筒形状部１ｃが図示していないプリント基板に実装されたスイッチを作動させる。
【００２５】
光源となるＬＥＤ６、６はスリット１ｄ、１ｄの側部下方に図示していないプリント基板に実装されており、操作部１ｆにはＬＥＤ６から光を操作部１ｆの天面に導く空間１ｅが形成され、空間１ｅの開口部周囲には光を空間１ｅに広い範囲で導くように傾斜面１ｈが形成されている。なお、スリット１ｄ、１ｄの空間は空間１ｅの内部まで延びている。
【００２６】
ＬＥＤ６から放射された光は直接または空間１ｅの内面で反射されながら操作部１ｆの天面の下面に至り、操作部１ｆの天面の上面を図４（ａ）の斜線で示す照射範囲１ｇを照光する。なお、ＬＥＤ６は片方のスリット１ｄの側部下方のみに１か所配置して照射範囲１ｇを必要な光量で照光することも可能である。
【００２７】
この実施例では、小形に形成でき操作感がよく、しかも、照光範囲を広くすることができて単一の材料で成形できる。また、光源を２か所に配置できるので、つまみ天面を強く照光することが可能となる。
【実施例２】
【００２８】
図５（ａ）はこの発明の実施例２である照光式操作つまみを示す平面図、図５（ｂ）は同照光式操作つまみを示す正面図、図５（ｃ）は同照光式操作つまみを示す底面図、図５（ｄ）は図５（ａ）におけるＡ−Ａ断面図である。
【００２９】
図に示す照光式操作つまみ２は乳白色の樹脂で一体成形されており、フランジ２ａの上面に図示していない操作パネルの穴から突出する操作部２ｆが設けられており、フランジ２ａの下面にスリット２ｄが形成された円筒形状部２ｃが形成されている。この円筒形状部２ｃはスイッチ作動ボスとなる。
【００３０】
フランジ２ａは図示していない操作パネルの内面に圧接されるようにクッションやばねにより付勢され、フランジ２ａの縁に設けられた連結部２ｂにより隣のつまみと連結されている。操作部２ｆを押すことにより照光式操作つまみ２が下動して、スイッチ作動ボスである円筒形状部２ｃが図示していないプリント基板に実装されたスイッチを作動させる。
【００３１】
光源となるＬＥＤ６はスリット２ｄの側部下方に図示していないプリント基板に実装されており、操作部２ｆにはＬＥＤ６から光を操作部２ｆの天面に導く空間２ｅが形成され、空間２ｅの開口部周囲には光を空間２ｅに広い範囲で導くように傾斜面２ｈが形成されている。なお、スリット２ｄの空間は空間２ｅの内部まで延びている。
【００３２】
ＬＥＤ６から放射された光は直接または空間２ｅの内面で反射されながら操作部２ｆの天面の下面に至り、操作部２ｆの天面の上面を図５（ａ）に斜線で示す照射範囲２ｇを照光する。
【００３３】
この実施例では、小形に形成でき操作感がよく、しかも、照光範囲を広くすることができて単一の材料で成形できる。また、円筒形状部２ｃにスリット２ｄが１か所のみ形成されているので、スイッチ作動ボスの剛性が高くなる。
【００３４】
実施例は以上のように構成されているが発明はこれに限られず、例えば、乳白色の樹脂の代わりに彩色を有し、透光性が高く光を散乱する半透明の樹脂を用いてもよい。
【００３５】
さらに、スイッチ作動ボスを円筒形状とする代わりに、楕円筒形状または多角形筒形状としてもよい。また、フランジや操作部も楕円形や四角形以外の多角形としてもよい。
【図面の簡単な説明】
【００３６】
【図１】この発明の実施例１である照光式操作つまみを示す斜視図である。
【図２】同照光式操作つまみを他の方向から見た斜視図である。
【図３】同照光式操作つまみをさらに他の方向から見た斜視図である。
【図４】図４（ａ）は同照光式操作つまみを示す平面図、図４（ｂ）は同照光式操作つまみを示す正面図、図４（ｃ）は同照光式操作つまみを示す底面図、図４（ｄ）は図４（ａ）におけるＡ−Ａ断面図である。
【図５】図５（ａ）はこの発明の実施例２である照光式操作つまみを示す平面図、図５（ｂ）は同照光式操作つまみを示す正面図、図５（ｃ）は同照光式操作つまみを示す底面図、図５（ｄ）は図５（ａ）におけるＡ−Ａ断面図である。
【図６】図６（ａ）は従来の照光式操作つまみの例を示す平面図、図６（ｂ）は同照光式操作つまみを示す正面図、図６（ｃ）は図６（ａ）におけるＡ−Ａ断面図である。
【図７】図７（ａ）は従来の照光式操作つまみの他の例を示す平面図、図７（ｂ）は同照光式操作つまみを示す正面図、図７（ｃ）は図７（ａ）におけるＡ−Ａ断面図である。
【図８】図８（ａ）は従来の照光式操作つまみのさらに他の例を示す平面図、図８（ｂ）は同照光式操作つまみを示す正面図、図８（ｃ）は図８（ａ）におけるＡ−Ａ断面図である。
【符号の説明】
【００３７】
１  照光式操作つまみ、１ａ  フランジ、１ｂ、連結部、１ｃ  円筒形状部
１ｄ  スリット、１ｅ  空間、１ｆ  操作部、１ｇ  照光範囲、１ｈ  傾斜面
２  照光式操作つまみ、２ａ  フランジ、２ｂ、連結部、２ｃ  円筒形状部
２ｄ  スリット、２ｅ  空間、２ｆ  操作部、２ｇ  照光範囲、１ｈ  傾斜面
３  照光式操作つまみ、３ａ  フランジ、３ｂ、連結部、３ｃ  スイッチ作動ボス、３ｅ  空間、３ｆ  操作部、３ｇ  照光範囲、３ｈ  傾斜面
４  照光式操作つまみ、４ａ  フランジ、４ｂ、連結部、４ｃ  スイッチ作動ボス、４ｅ  空間、４ｆ  操作部、４ｇ  照光範囲、４ｈ  傾斜面
５  照光式操作つまみ、５ａ  フランジ、５ｂ、連結部、５ｃ  スイッチ作動ボス、５ｅ  空間、５ｆ  操作部、５ｇ  照光範囲、５ｈ  傾斜面
６  ＬＥＤ
【図１】
2009076342.tif 000003
【図２】
2009076342.tif 000004
【図３】
2009076342.tif 000005
【図４】
2009076342.tif 000006
【図５】
2009076342.tif 000007
【図６】
2009076342.tif 000008
【図７】
2009076342.tif 000009
【図８】
2009076342.tif 000010